(57)【特許請求の範囲】
【請求項１】
自身が水中落下したことを検出する落下検出部と、
シール部材を挟んで接合された前面筐体および背面筐体を有する筐体と、
前記筐体の内部に設けられた発光体と、
前記落下検出部が水中落下を検出したとき、前記発光体を発光させる発光制御回路と、
を備え、
前記シール部材は、その一部または全部に半透明部を有し、該半透明部に前記発光体を覆うカバー部が形成されている
携帯電子機器。
【請求項２】
前記シール部材は、前記半透明部に、前記筐体内部に向けて突出する舌部を有し、該舌部に前記カバー部が形成されている請求項１に記載の携帯電子機器。
【請求項３】
前記前面筐体および背面筐体のいずれか一方または両方が半透明である請求項１または請求項２に記載の携帯電子機器。
【請求項４】
前記半透明部は、前記発光体が点灯したときその光を透過し、前記発光体が消灯している通常時は前記筐体の外側から内部が透視できない程度の透明度である請求項１乃至請求項３のいずれかに記載の携帯電子機器。
【発明の詳細な説明】
【技術分野】
【０００１】
この発明は、携帯電子機器に関し、特には水に落としても水に浮く携帯電子機器に関する。
【背景技術】
【０００２】
マリン用のトランシーバ等、水に近いところで使用される携帯電子機器は多い。このような電子機器は、誤って水が掛かったり、水に落とすことも考えられるため、内部に水が入らないように防水されているものも実用化されている。また、水に落としたとき水中に沈んでしまうと回収できなくなるため、水に浮くようにすることも提案されている（たとえば特許文献１）。
【先行技術文献】
【特許文献】
【０００３】
【特許文献１】実開平０４−１３５０３８号公報
【発明の概要】
【発明が解決しようとする課題】
【０００４】
しかし、夜間や視界が悪いときには、電子機器が水面に浮いていてもどこにあるかを見つけることができない可能性がある。このような場合には、電子機器が水面に浮いているにもかかわらず回収できないという問題点があった。
【０００５】
この発明は、夜間や視界が悪い場合でも水面で発見しやすい携帯電子機器を提供することを目的とする。
【課題を解決するための手段】
【０００６】
この発明は、自身が水中落下したことを検出する落下検出部と、シール部材を挟んで接合された前面筐体および背面筐体を有する筐体と、前記筐体の内部に設けられた発光体と、前記落下検出部が水中落下を検出したとき、前記発光体を発光させる発光制御回路と、を備え、前記シール部材は、その一部または全部に半透明部を有し、該半透明部に前記発光体を覆うカバー部が形成されていることを特徴とする。
【０００９】
上記発明において、前記シール部材が、前記半透明部に前記筐体内部に向けて突出する舌部を有し、該舌部に前記カバー部が形成されていてもよい。
【００１０】
上記発明において、前記前面筐体および背面筐体のいずれか一方または両方が半透明であってもよい。
上記発明において、前記半透明部は、前記発光体が点灯したときその光を透過し、前記発光体が消灯している通常時は前記筐体の外側から内部が透視できない程度の透明度であってもよい。
【発明の効果】
【００１１】
この発明によれば、携帯電子機器が水中に落下したとき発光部が発光するため、夜間や視界が悪い環境下であっても、ユーザが容易にその携帯電子機器を発見することが可能になる。
【図面の簡単な説明】
【００１２】
【図１】この発明の実施形態であるトランシーバの外観図である。
【図２】同トランシーバのシール部材の外観図である。
【図３】同トランシーバの下部の内部構造図である。
【図４】同トランシーバのＬＥＤ点灯制御回路の回路図である。
【発明を実施するための形態】
【００１３】
図１は本発明の実施形態であるトランシーバの外観図である。同図（Ａ）は同トランシーバの正面図、同図（Ｂ）は同トランシーバの左側面図、同図（Ｃ）は同トランシーバの背面図である。また、図２はトランシーバのシール部材の外観図である。同図（Ａ）は同シール部材の正面図、同図（Ｂ）は同シール部材の右側面図、同図（Ｃ）は同シール部材の背面図である。また、図３は同トランシーバの下部の内部構造図である。
【００１４】
このトランシーバ１は、船舶通信用のハンディ機器である。このトランシーバ１は、電源として軽量且つ大容量のリチウムイオン電池を用いたこと等により全体の重量が軽量化され、筐体１１が防水されていることと相まって、水に落下したときでも沈むことなく水面に浮き、水が掛かることにより電極３５が導通する。この導通によってＬＥＤ４１が点滅し、夜間や視界が悪い環境下であっても落下したトランシーバ１をユーザが容易に見つけられる。
【００１５】
トランシーバ１は、筐体１１を含む本体１０、および、筐体１１の上面に設けられたアンテナ１２を有する外観をなしている。筐体１１は、前面筐体１１０、背面筐体１１１を有している。前面筐体１１０と背面筐体１１１は、シール部材１３を挟んで接合されている。アンテナ１２は、筐体１１の上面に上方に向けて設けられている。アンテナ１２は、コイル状のアンテナ線を樹脂パイプに収納したロッド状のアンテナである。
【００１６】
前面筐体１１０の前面パネル２０には、上からスピーカグリル１６、ディスプレイ１７、キー群１８が設けられている。スピーカグリル１６の内部には、スピーカ（不図示）が設けられている。右側板２２にはＰＴＴスイッチ１９、上側板２３のアンテナ１２の向かって左側には防水キャップが被せられた充電用コネクタ１４が設けられている。キー群１８は、図３に示すように、複数のキー構造１８０からなっている。キー構造１８０は、筐体１１内部の回路基板４０（図３参照）の正面側に形成された一対の電極１８３およびキートップ１８１からなっている。キートップ１８１は、可撓性を有する半透明のゴムまたは軟質樹脂で成形されており、周囲に設けられた脚部１８２で回路基板４０上に支持されている。キートップ１８１の底面には導電膜１８１Ａが形成されている。キートップ１８１および脚部１８２は、９キー分が一体に成形され、前面筐体１１０の前面パネル２０の開口部にはめ込まれている。キートップ１８１は、ユーザによって押圧されると弾性変形して導電膜１８１Ａが一対の電極１８３に当接し、電極１８３が導通する。
【００１７】
背面筐体１１１の中央にはクリップ１５がそれぞれ設けられている。背面筐体１１１の下部中央にはバッテリ５０（図３参照）を収容するバッテリケース１１１Ｂ（図３参照）が形成されており、バッテリケース１１１Ｂ上にはバッテリケースカバー１１１Ｃが着脱可能に設けられている。また、背面筐体１１１の上部左右には、トランシーバ１の水への落下を検出するための一対の電極３５が設けられている。これらの電極３５が水によって導通したとき、筐体１１内部の回路基板４０の裏面側に実装されているＬＥＤ４１（図３参照）が点滅する。
【００１８】
前面筐体１１０は、不透明の樹脂で形成され、略平面の前面パネル２０と、前面パネル２０の周縁から略直角に後方に立ち上がる左側板２１、右側板２２、上側板２３、底側板２４を含む。これら左側板２１、右側板２２、上側板２３、底側板２４のエッジに、シール部材１３が挿入される溝部１１０Ａ（図３参照）が形成されている。
【００１９】
左側板２１から底側板２４にかけての溝部１１０Ａのさらに外側のエッジに突起２１Ａが形成され、右側板２２から底側板２４にかけての溝部１１０Ａのさらに外側エッジに突起２２Ａが形成されている。前面筐体１１０と背面筐体１１１はシール部材１３を挟んで組み付けられ、シール部材１３が前面筐体１１０と背面筐体１１１の間に露出するが、この突起２１Ａ、２２Ａの部分のみシール部材１３は外部から隠される。なお、図１では、同図（Ｂ）に左側板２１の突起２１Ａのみを図示しているが、突起２２Ａは、右側板２２の縁部に突起２１Ａと左右対称に現れる。
【００２０】
背面筐体１１１は、半透明の樹脂で形成され、クリップ１５が設けられた背面部から緩やかに上下左右の周縁部が前方に立ち上がる蓋状の形状を有している。さらに、背面筐体１１１のエッジ全周にわたって、シール部材１３が挿入される溝部１１１Ａ（図３参照）が形成されている。
【００２１】
背面筐体１１１は黒に着色された半透明樹脂であり、その透明度は、筐体１１の内部が暗い通常の状態では内部を見通すことができず、筐体１１内部のＬＥＤ４１が点灯したときその光を透過する程度である。
【００２２】
図２に示すように、シール部材１３は、筐体１１を正面から見た輪郭と略同形状のリング状に形成されており、前面筐体１１０、背面筐体１１１の溝部に嵌合するウェブ１３０およびウェブ１３０の側面中央から外側に突出する外側フランジ１３１、内側フランジ１３２を有している。外側フランジ１３１は、前面筐体１１０の左右の突起２１Ａ、２２Ａに嵌合する箇所が切り欠かれ、切欠部１３１Ａ、１３１Ｂとなっている。また、内側フランジ１３２には、複数の舌部１４０〜１４８が形成されている。ウェブ１３０および切欠部１３１Ａ，１３１Ｂを除くフランジ１３１、１３２は均一な厚みである。後述するように厚みに変化が持たせられた舌部１４０、１４７、１４８も内側フランジ１３２に相当する幅は他の内側フランジ１３２と同じ厚みである。シール部材１３がこれらウェブ１３０およびフランジ１３１、１３２の構造を有することにより、組み立てられた筐体１１の内部は密に防水される。
【００２３】
また、シール部材１３は、二点鎖線で示した仮想の境界線１５０付近を境界として上下で色が異なっている。境界線１５０は切欠部１３１Ａ，１３１Ｂを通るように設定されている。この境界線１５０よりも下側が乳白色の半透明部１３Ａになっており、境界線１５０よりも上側が青色の不透明部１３Ｂになっている。トランシーバ１が組み立てられたとき、境界線１５０は突起２１Ａ、２２Ａの背後に隠れ、突起２１Ａ、２２Ａよりも底面側に半透明部１３Ａが露出し、突起２１Ａ、２２Ａよりも上面側に不透明部１３Ｂが露出する。これにより、半透明部１３Ａと不透明部１３Ｂの境界で色が濁った箇所が突起２１Ａ、２２Ａの背後に隠され、シール部材１３のツートンを実現しつつ美観が維持される。
【００２４】
また、内側フランジ１３２に形成された舌部１４０〜１４８のうち、半透明部１３Ａの領域であるリングの下辺中央に設けられた舌部１４０は、緩やかな円弧状をなしており、その正面が他の内側フランジ１３２よりも厚みが大きくなっている（図３参照）。この正面側にさらにＬＥＤカバー１４９が設けられている。ＬＥＤカバー１４９は、シール部材１３が正面筐体１１０の溝部にはめ込まれたとき、回路基板４０上のＬＥＤ４１を嵌入させる筒状に形成されている。ＬＥＤ４１がＬＥＤカバー１４９に嵌入していることにより、点光源であるＬＥＤ４１の光を半透明のＬＥＤカバー１４９および舌部１４０が拡散して面光源にすることができる。また、舌部１４０が厚いことにより、十分な光拡散を実現することができる。この拡散した光が、半透明の背面筐体１１１の下部領域を広く照らして背面筐体１１１の下部を光らせ、シール部材１３の半透明部１３Ａ全体を光らせる。なお、舌部１４０およびＬＥＤカバー１４９の形状は図２に示したものに限定されない。
【００２５】
リング内側の四隅および左右側辺上部に設けられた舌部１４１〜１４６は、前面筐体１１０と背面筐体１１１を組み付けるネジを嵌通させるネジ穴を有している。また、リング内側の左右側辺下部に設けられた舌部１４７、１４８は、先端部が内側フランジ１３２よりも厚みが大きく膨らんでいる。シール部材１３を前面筐体１１０、背面筐体１１１に挟んでトランシーバ１を組み立てるとき、固定用のネジが舌部１４１〜１４６のネジ穴を嵌通し、舌部１４７、１４８の膨らみが筐体１１の内側に突出する。これにより、トランシーバ１が組み立てられたのち、シール部材１３が筐体１１から外れることなく固定される。
【００２６】
前面筐体１１０と背面筐体１１１が、上記形状のシール部材１３を挟んで接合されることにより、前面筐体１１０および背面筐体１１１の接合部から筐体１１の内部に水が侵入することが防止される。
【００２７】
図３はトランシーバ１の一部の内部構造を説明する図である。この図は、トランシーバ１の内部を左側面から見た図である。筐体１１内部の前面側（前面筐体１１０内）に、各種回路が実装されるプリント配線基板４０が設けられ、その下端部にＬＥＤ４１が実装されている。このＬＥＤ４１は自己点滅型のＬＥＤであり、図４に示す点灯制御回路によって点灯（点滅）／消灯が制御される。また、ＬＥＤ４１にはシール部材１３の舌部１４０上に形成されているＬＥＤカバー１４９が被せられている。
【００２８】
これにより、点光源であるＬＥＤ４１の光が拡散されて舌部１４０全体が面光源のように発光する。ＬＥＤカバー１４９および舌部１４０で拡散された光は、シール部材１３の半透明部１３Ａ、および、半透明の背面筐体１１１、キートップ１８１により外部から視認可能になる。
【００２９】
図４は、ＬＥＤ４１の点灯制御回路を示す図である。この点灯制御回路が本発明の発光制御回路に対応する。この点灯制御回路は、一対の電極３５（３５Ａ，３５Ｂ）が導通することによってＰｃｈＭＯＳ電解効果トランジスタ（ＦＥＴ）Ｑ１およびＮＰＮトランジスタＱ２がオンし、トランジスタＱ２のコレクタと電源との間に接続されているＬＥＤ４１が点滅（点灯）する構成の回路である。
【００３０】
電源（リチウムイオン電池）とこの回路とは電源スイッチを介さずに直接接続されており、電源がオフの状態でもトランシーバ１が水に落下したときはＬＥＤ４１を点滅させる。電源と接地との間に抵抗Ｒ１、抵抗Ｒ２、一対の電極３５（３５Ａ，３５Ｂ）が直列に接続されている。抵抗Ｒ１と抵抗Ｒ２との接続点はＦＥＴＱ１のゲートに接続されている。ＦＥＴＱ１のソースは電源に接続され、ＦＥＴＱ１のドレインと接地との間には、順方向のダイオードＤ１およびコンデンサＣ１が直列に接続されている。ダイオードＤ１とコンデンサＣ１との接続点はトランジスタＱ２のベースに接続されている。なお、トランジスタＱ２は抵抗内蔵のデジタル動作用のトランジスタであり、ベースには直列に抵抗が接続されている。トランジスタＱ２のコレクタと電源との間にＬＥＤ４１が接続され、トランジスタＱ２のエミッタは接地されている。
【００３１】
トランシーバ１が水に落下して電極３５Ａ、３５Ｂ間が導通すると、ＦＥＴＱ１のゲートに抵抗Ｒ１，Ｒ２で分圧された電源電圧が印加される。これにより、ＦＥＴＱ１がオンし、ダイオードＤ１を介してコンデンサＣ１が急速に充電される。このコンデンサＣ１の充電によってトランジスタＱ２のベース電圧が持ち上げられ、トランジスタＱ２がオンする。トランジスタＱ２のオンにより、ＬＥＤ４１に電流が流れ、ＬＥＤ４１が点滅する。
【００３２】
トランシーバ１が水から取り上げられて電極３５Ａ、３５Ｂ間の導通が遮断されると、ＦＥＴＱ１がオフするが、コンデンサＣ１が電源電圧近くまで充電されているため、このコンデンサＣ１の電荷がトランジスタＱ２のベース・エミッタを介して放電されるまで、トランジスタＱ２はオン状態を維持する。この電極３５Ａ，３５Ｂの遮断後のオン時間が３０〜６０秒となるように、コンデンサＣ１の静電容量が設定される。これにより、ユーザが、暗い環境で、トランシーバ１を水面から取り上げたときでもＬＥＤ４１の点灯状態を維持して見失わないようにしている。
【００３３】
ＬＥＤ４１が点灯（点滅）したとき、その光は、シール部材１３のＬＥＤカバー１４９および舌部１４０によって拡散および伝搬され、シール部材１３の半透明部１３Ａが明るく光るとともに、半透明に構成されている背面筐体１１１および前面筐体１１０のキートップ１８１からもその光が漏れて、ユーザに視認可能になる。
【００３４】
なお、この実施形態では、ＬＥＤ４１として自己点滅ＬＥＤを用いたが、通常のＬＥＤを用いてもよく、点滅回路を別途外部に設けてもよい。
また、この実施形態では、背面筐体１１１および前面の筐体１１０のキー群１８を半透明としたが、いずれか一方でもよく、他の箇所を半透明にしてもよい。また、背面筐体１１１全体を半透明にせず、ＬＥＤ４１（発光体）に近い部分のみを半透明にしてもよい。
【００３５】
また、この実施形態では、船舶通信用のハンディトランシーバを例にあげて説明したが、この発明の携帯電子機器は、ハンディトランシーバに限定されない。
【００３６】
また、この実施形態のトランシーバ１は防水かつ水に浮く（水よりも比重が小さい）構成であったが、水と比重が同じまたは水よりも比重が大きい携帯電子機器に本発明を適用することも可能である。
【符号の説明】
【００３７】
１  トランシーバ
１１  筐体
１２  アンテナ
１３  シール部材
１３Ａ  半透明部
１６  スピーカグリル
１８  キー群
２１Ａ、２２Ａ  （筐体の）突起
３５  電極
１１０  前面筐体
１１１  背面筐体
１４９  ＬＥＤカバー
１８１  キートップ
【図１】
0005589868.tif 000002
【図２】
0005589868.tif 000003
【図３】
0005589868.tif 000004
【図４】
0005589868.tif 000005